(57)【要約】  端末に対して無線通信を行う無線通信装置において、多重されて入力した２つの異なる方式に夫々対応する第１及び第２の信号を抽出し、抽出した前記第１及び第２の信号を合成する第１のインターフェース変換部と、前記合成された前記第１及び第２の信号を増幅することで前記第１及び第２の信号に対し共用して使用される共用アンプとを備え、前記共用アンプから出力される信号が前記端末に無線通信されることを特徴とする。
2008146330.tif 000002
【特許請求の範囲】
【請求項１】
無線通信を行う無線通信装置において、
多重されて入力した２つの異なる方式に夫々対応する第１及び第２の信号を抽出し、抽出した前記第１及び第２の信号を合成する第１のインターフェース変換部と、
前記合成された前記第１及び第２の信号を増幅することで前記第１及び第２の信号に対し共用して使用される共用アンプとを備え、
前記共用アンプから出力される信号が送信されることを特徴とする無線通信装置。
【請求項２】
更に、前記２つの異なる方式のうち第１の方式を処理する他の無線通信装置と接続され、前記他の無線通信装置からの前記第１の信号と、前記２つの異なる方式のうち第２の方式に対応する前記第２の信号とが入力されて、前記第１の信号と前記第２の信号とを多重して出力する第２のインターフェース変換部を備え、
前記第２のインターフェース変換部から出力された信号が、前記第１のインターフェース変換部に入力されることを特徴とする請求項１記載の無線通信装置。
【請求項３】
前記第１のインターフェース変換部は、前記２つの異なる方式のうち第１の方式を処理する他の無線通信装置と接続され、前記他の無線通信装置からの前記第１の信号に対して前記第２の信号を合成することなく前記第１の信号を出力し、
前記共用アンプは、前記第１の信号のみを増幅して出力することを特徴とする請求項１記載の無線通信装置。
【請求項４】
前記第２のインターフェース変換部は、前記第２の信号を前記第１の信号と多重化することなく前記他の無線通信装置に出力し、
前記第１のインターフェース変換部は前記他の無線通信装置において多重化された前記第１の信号と前記第２の信号とが入力されることを特徴とする請求項２記載の無線通信装置。
【請求項５】
前記第１のインターフェース変換部は、前記異なる２つの方式のうち第１の方式を処理する他の無線通信装置と直接接続されるとともに、前記異なる２つの方式のうち第２の方式を処理する第３のインターフェース変換部と直接接続され、
前記第１のインターフェース変換部は、前記第１の信号と前記第２の信号とが多重化されることなく、夫々前記他の無線通信装置と前記第３のインターフェース変換部とから入力されて、前記第１の信号と前記第２の信号とを合成して、前記共用アンプに出力することを特徴とする請求項１記載の無線通信装置。
【請求項６】
前記第２のインターフェース変換部は、時間軸上の前記第１及び第２の信号を周波数軸上の信号に周波数変換し、前記周波数変換された第１及び第２の信号を周波数軸上で加算することで合成し、合成後の前記第１及び第２の信号を再度時間軸上の信号に変換し、当該時間軸上の信号に変換された前記第１及び第２の信号を出力することを特徴とする請求項２記載の無線通信装置。
【請求項７】
第１の無線通信装置と第２の無線通信装置とを備える無線通信システムにおいて、
前記第１の無線通信装置は、第１の方式に対応する第１の信号を処理する第１のインターフェース変換部を備え、
前記第２の無線通信装置は、
前記第１のインターフェース変換部と直接接続されて、前記第１のインターフェース変換部からの前記第１の信号と、第２の方式に対応する第２の信号とが入力され、前記第１の信号と    前記第２の信号とを多重化して出力する第２のインターフェース変換部と、
前記第２のインターフェース変換部からの多重化された信号が入力されて、前記第１及び第２の信号を抽出し、抽出した第１及び第２の信号を合成する第３のインターフェース変換部と、
前記第３のインターフェース変換部で合成された前記第１及び第２の信号を増幅する共用アンプとを備える、
ことを特徴とする無線通信システム。
【請求項８】
前記第２のインターフェース変換部は、前記第２の信号を前記第１の信号とを多重化することなく前記第１のインターフェース変換部に出力し、
前記第２のインターフェース変換部は前記第２の信号と前記第１の信号とを多重化し、
前記第３のインターフェース変換部は前記第２のインターフェース変換部と直接接続されて、前記多重化された第１及び第２の信号が入力されることを特徴とする請求項７記載の無線通信システム。
【請求項９】
無線通信を行う無線通信装置における無線通信方法において、
多重されて入力した２つの異なる方式に夫々対応する第１及び第２の信号を抽出し、
前記抽出された第１及び第２の信号を合成し、
前記合成された前記第１及び第２の信号を、共用アンプにより増幅し、
前記共用アンプから出力される信号が送信されることを特徴とする無線通信方法。
【請求項１０】
第１の無線通信装置と第２の無線通信装置とを備える無線通信システムにおける無線通信方法において、
前記第２の無線通信システムにおいて、前記第１の無線通信装置から、第１の方式に対応する第１の信号が入力され、第２の方式に対応する第２の信号と多重化し、
前記抽出された第１及び第２の信号を合成し、
前記合成された第１及び第２の信号を、第２の無線通信システムの共用アンプにより増幅して送信する、
ことを特徴とする無線通信方法。
【発明の詳細な説明】
【技術分野】
【０００１】
本発明は、無線通信装置、無線通信システム、及び無線通信方法に関する。
【背景技術】
【０００２】
無線通信の分野では、技術発展に伴い、新しい通信方式による通信システムが構築され、無線サービスが提供される。その際、通常多くのユーザはすぐに新しい無線サービスに移行するわけではなく除々に移行していくため、複数の無線サービスが平行して運用される。また、新しい通信方式を構築する際は、それに対応した専用の新しい設備を導入することになるが、既存のサービスが運用されている状態のため、新しい通信方式に対応した専用機器の設置場所の確保が必要となる。【０００３】
図１０は、従来における無線基地局装置（ＢＴＳ：Base Transceiver Station）２００の構成例を示す図である（例えば、以下の非特許文献１）。無線基地局２００は、フィルタや変調、周波数変換等、無線信号に対する処理を行う無線装置（ＲＥ：Radio
Equipment）２２０と、ベースバンド信号に対する処理を行う無線制御装置２１０（ＲＥＣ：Radio Equipment Controller）とを備える。無線装置２２０と無線制御装置２１０との間は、光ファイバによる光通信ケーブルにより接続され、ＣＰＲＩ（Common
Public Radio Interface）によるインターフェースが用いられる。【０００４】
また、このようなＣＰＲＩによるインターフェースを用いた従来技術としては、例えば、以下の特許文献１がある。
【非特許文献１】CPRI Specification V2.1
【特許文献１】特願２００７−９９９６５６
【発明の開示】
【発明が解決しようとする課題】
【０００５】
無線基地局装置が新しい無線サービスにスムーズに移行するためには、無線基地局装置自体が新旧２つのサービスに対応できるよう、共用化の状態にしておくことが望まれる。【０００６】
また、新旧２つのサービス（或いは異なる２つのサービス）に対応するように無線基地局装置を設けるためには、図１０に示す無線基地局装置を２つ並列に設置することが考えられる。【０００７】
しかし、新たに無線基地局装置を設けるためには、無線装置と無線制御装置とを接続するための光ケーブルを設置させる必要がある。新たな光ケーブルの設置はコストの増加に繋がる。したがって、既に設けられている光ケーブルを用いて２つのサービスを統合して伝送できるようにすることが望まれる。【０００８】
更に、複数サービスに対応した無線基地局装置も望まれる。【０００９】
そこで、本発明は上記問題点に鑑みてなされたもので、その目的は、２つのサービスに対応できるような共用化の状態にしておく無線通信装置や無線通信システム、及び無線通信方法を提供することにある。【００１０】
また、本発明の他の目的は、光ケーブルの本数を増加させずに、２つのサービスを提供できる無線通信装置等を提供することにある。【００１１】
更に、本発明の他の目的は、複数のサービスに対応した無線通信装置等を提供することにある。
【課題を解決するための手段】
【００１２】
上記目的を達成するために、本発明の一実施態様によれば、端末に対して無線通信を行う無線通信装置において、多重されて入力した２つの異なる方式に夫々対応する第１及び第２の信号を抽出し、抽出した前記第１及び第２の信号を合成する第１のインターフェース変換部と、  前記合成された前記第１及び第２の信号を増幅することで前記第１及び第２の信号に対し共用して使用される共用アンプとを備え、前記共用アンプから出力される信号が前記端末に無線通信されることを特徴とする。【００１３】
また、上記目的を達成するために、本発明の他の実施態様によれば、第１の無線通信装置と第２の無線通信装置とを備える無線通信システムにおいて、前記第１の無線通信装置は、第１の方式に対応する第１の信号を処理する第１のインターフェース変換部を備え、前記第２の無線通信装置は、前記第１のインターフェース変換部と直接接続されて、前記第１のインターフェース変換部からの前記第１の信号と、第２の方式に対応する第２の信号とが入力され、前記第１の信号と前記第２の信号とを多重化して出力する第２のインターフェース変換部と、前記第２のインターフェース変換部からの多重化された信号が入力されて、前記第１及び第２の信号を抽出し、抽出した第１及び第２の信号を合成する第３のインターフェース変換部と、前記第３のインターフェース変換部で合成された前記第１及び第２の信号を増幅する共用アンプとを備えることを特徴とする。【００１４】
更に、上記目的を達成するために本発明の他の実施態様によれば、端末に対して無線通信を行う無線通信装置における無線通信方法において、多重されて入力した２つの異なる方式に夫々対応する第１及び第２の信号を抽出し、前記抽出された第１及び第２の信号を合成し、前記合成された前記第１及び第２の信号を、共用アンプにより増幅し、前記共用アンプから出力される信号が前記端末に無線通信されることを特徴とする。
【発明の効果】
【００１５】
本発明によれば、２つのサービスへの対応をスムーズにできるようにした無線通信装置や無線通信システム、無線通信方法を提供できる。また、光ケーブルの本数を増加させることなく、２つのサービスを提供できる無線通信装置等を提供できる。更に、複数サービスに対応した無線通信装置等を提供できる。
【図面の簡単な説明】
【００１６】
【図１】図１は無線通信システムの構成例を示す図である。
【図２】図２は無線基地局装置の構成例を示す図である。
【図３】図３はＣＰＲＩの伝送フレーム例を示す図である。
【図４】図４（Ａ）乃至同図（Ｃ）は、ＣＰＲＩの伝送フレーム例を示す図である。
【図５】図５は無線通信システムの他の構成例を示す図である。
【図６】図６は無線基地局装置の他の構成例を示す図である。
【図７】図７（Ａ）乃至同図（Ｃ）は、ＣＰＲＩの伝送フレーム例を示す図である。
【図８】図８は無線基地局装置の他の構成例を示す図である。
【図９】図９は無線基地局装置の他の構成例を示す図である。
【図１０】図１０は従来の無線基地局装置の構成例を示す図である。
【符号の説明】
【００１７】
１，３：第１，第２の上位装置          ２，４：第１、第２の無線基地局装置
２１，４１，４４：第１，第２，第３の無線制御装置（ＲＥＣ）
４２，４３，４４：第２，第３，第４の無線装置（ＲＥ）
２１３，４１３，４２１，４３１，４４１：第１，第２，第３，第４，第５のインターフェース変換部
４２２：送受信増幅部
２１３１，４１３１，４１３４，４１３７，４３１２，４３１４，４４１５，４２１８：第１，第２，第３，第４，第５，第６，第７，第８のＣＰＲＩ処理部
２１３２，４１３２，４１３３，４１３６，４１３８，４２１１，４３１１，４３１３，４４１６：第１，第２，第３，第４，第５，第６，第７，第８，第９の変換部
４１３５，４２１２：第１，第２のサービス多重分離部
４２１３：周波数シフト部              ４２１４：ＩＱ抽出部
４２２２：変調部                      ４２２５：ダウンコンバータ
４４１１，４４１３，４４１７：第１，第２，第３の時間‐周波数変換部
４４１４，４４１９，４４２０：第１，第２，第３の周波数‐時間変換部
【発明を実施するための最良の形態】
【００１８】
本発明を実施するための最良の形態について以下説明する。【００１９】
＜第１の実施例＞  
まず、第１の実施例について説明する。図１は無線通信システム１００の構成例を示す図である。無線通信システム１００は、無線サービスＡに対応した上位装置（以下、第１の上位装置）１と、無線基地局装置（以下、第１の無線基地局装置）２と、無線サービスＢに対応した上位装置（以下、第２の上位装置）３と、無線基地局装置（以下、第２の無線基地局装置）４、及びアンテナ５を備える。【００２０】
また、第１の無線基地局装置２は、第１の無線制御装置（ＲＥＣ）２１を備える。そして、第１の無線制御装置２１は、第１の共通制御部２１１と、第１のベースバンド信号処理部２１２と、第１のインターフェース変換部２１３を備える。【００２１】
一方、第２の無線基地局装置４は、第２の無線制御装置（ＲＥＣ）４１と、第２の無線装置（ＲＥ）４２を備える。そして、第２の無線制御装置４１は、第２の共通制御部４１１と、第２のベースバンド信号処理部４１２と、第２のインターフェース変換部４１３とを備える。また、第２の無線装置４２は、第３のインターフェース変換部４２１と送受信増幅部４２２を備える。【００２２】
２つの上位装置１，３は、例えば、ＲＮＣ（Radio Network Controller）やａＧＷ（access-Gate
Way）であり、それぞれ２つの無線サービス（通信方式）に対応したデータを送受信する。尚、以下に示す実施例では、無線サービスＡが旧サービス、無線サービスＢが新サービスとして説明する。即ち、無線サービスＡ対応の無線基地局装置２が、不図示の無線装置、アンテナ５を介して無線サービスＡを提供している場合に、その後新たなサービスを提供すべく、無線サービスＢ対応の無線制御装置４１と、無線装置４２とを導入し、アンテナ５を介して無線サービスＡ及びＢを提供する場合について説明する。尚、その際、インターフェース変換部２１３と不図示の無線装置との間の接続ラインは、インターフェース変換部２１３と無線装置４２のインターフェース変換部４２１とを接続するためのラインとして用いられ、その後、当該ラインは、インターフェース変換部４１３と４２１とを接続するためのラインとして接続し直され、さらに、インターフェース変換部２１３と４１３を接続する接続ラインが新たに追加される。【００２３】
第１及び第２の共通制御部２１１，４１１は、各無線基地局装置２，４に対して同期信号を配信する等して無線基地局２，４を制御したり、個々のユーザ設定等を行う。【００２４】
第１及び第２のベースバンド信号処理部２１２，４１２は、上位装置１，３からのデータをＩ（Ｉｎ  Ｐｈａｓｅ）信号とＱ（Ｑｕｖａｄｕｒａｔｕｒｅ  Ｐｈａｓｅ）信号とからなるベースバンド信号に変換して第１のインターフェース変換部２１３に出力等する。【００２５】
第１乃至第３のインターフェース変換部２１３，４１３，４２１は、接続ケーブルに対応した信号フォーマット（例えば、ＣＰＲＩ）に変換したり、ベースバンド信号に変換等する。詳細は後述する。【００２６】
図１に示す無線通信システム１００の動作は後述するが、以下のような効果がある。すなわち、第２の無線制御装置４１の第２のインターフェース変換部４１３は、第１のインターフェース変換部２１３からの無線サービスＡに対応した信号と、第２のベースバンド信号処理部４１２からの無線サービスＢに対応した信号の２つの信号を多重（或いは合成）して１つの信号として第２の無線装置４２に出力する。また、第２のインターフェース変換部４１３は、第３のインターフェース変換部４２１からの信号を無線サービスＡに対応した信号と、無線サービスＢに対応した信号の２つの信号に分離して、それぞれ第１のインターフェース変換部２１３と第２のベースバンド信号処理部４１２に出力する。従って、第１の無線基地局装置２は、無線装置（ＲＥ）を内部に設ける必要がなく、第１の無線制御装置２１内で光ケーブルを新たに設置させる必要がない。【００２７】
図２は、第１のインターフェース変換部２１３と、第２のインターフェース変換部４１３、第３のインターフェース変換部４２１、及び送受信増幅器４２２の詳細な構成例を示す図である。【００２８】
第１のインターフェース変換部２１３は、第１のＣＰＲＩ処理部２１３１と、第１の変換部２１３２とを備える。【００２９】
また、第２のインターフェース変換部４１３は、第２のＣＰＲＩ処理部４１３１と、第２の変換部４１３２と、第３の変換部４１３３と、第３のＣＰＲＩ処理部４１３４と、第１のサービス多重分離部４１３５と、第４の変換部４１３６と、第４のＣＰＲＩ処理部４１３７、及び第５の変換部４１３８を備える。【００３０】
更に、第３のインターフェース変換部４２１は、第６の変換部４２１１と、第２のサービス多重分離部４２１２と、周波数シフト部４２１３と、ＩＱ抽出部４２１４とを備える。【００３１】
更に、送受信増幅器４２２は、Ｄ／Ａ変換部４２２１と、変調部４２２２と、送信増幅部４２２３と、受信部４２２４と、ダウンコンバータ４２２５と、Ａ／Ｄ変換部４２２６を備える。【００３２】
このように構成された第１乃至第３のインターフェース部２１３，４１３，４２１等を含む無線基地局装置２，４の動作について、図１を含めて説明する。【００３３】
まず、下り方向（上位装置１，３からアンテナ５へ向かう方向）の動作から説明する。図１に示すように、第１の上位装置１は、無線サービスＡに対応するデータを出力する。かかるデータは、共通制御部２１１を介してベースバンド信号処理部２１２にて、Ｉ、Ｑ信号のベースバンド信号に変換される。変換されたベースバンド信号が、図２に示す第１のＣＰＲＩ処理部２１３１に入力される。【００３４】
第１のＣＰＲＩ処理部２１３１は、ベースバンド信号をＣＰＲＩフォーマットの信号（以下、ＣＰＲＩ信号）に変換する。図３は、ＣＰＲＩフォーマットの例を示し、データブロック領域にベースバンド信号であるＩ，Ｑ信号が挿入される。第１の変換部２１３２は、ＣＰＲＩ信号を光信号に変換し、当該光信号を光ケーブルにより第２の無線基地局装置４に送信する。【００３５】
第２のインターフェース変換部４１３の第４の変換部４１３６は、第１の変換部２１３２からの光信号を電気信号であるＣＰＲＩ信号に変換して出力する。第４のＣＰＲＩ処理部４１３７は、第４の変換部４１３６からのＣＰＲＩ信号から、Ｉ，Ｑ信号を抽出して第１のサービス多重分離部４１３５に出力する。【００３６】
一方、図１に示す第２の上位装置３から無線サービスＢに対応したデータが出力され、第２の共通制御部４１１、第２のベースバンド信号処理部４１２を介して、無線サービスＢに対応したベースバンド信号が出力される。かかるベースバンド信号が図２に示す第２のＣＰＲＩ処理部４１３１に入力される。【００３７】
第２のＣＰＲＩ処理部４１３１は、ベースバンド信号をＣＰＲＩ信号（例えば、図３）に変換して出力する。第２の変換部４１３２は、変換されたＣＰＲＩ信号を光信号に変換する、そして、第３の変換部４１３３は、変換された光信号をＣＰＲＩ信号に戻すように変換し、第３のＣＰＲＩ処理部４１３４はＣＰＲＩ信号からＩ，Ｑ信号を抽出して第１のサービス多重分離部４１３５に出力する。【００３８】
ここで、第２の変換部４１３２によりＣＰＲＩ信号を光信号に変換しているのは以下の理由による。すなわち、図２の破線で示すように第２の変換部４１３２と、第２の無線装置４２の第６の変換部４２１１とは光ケーブル等のケーブルにより接続可能である。かかる接続により、第５の変換部４１３８と第６の変換部４２１１との接続が切断されて、無線サービスＢのみに対応したサービスが提供できる。つまり、共用サービスを提供しないような場合には、かかる接続が有効である。かかる接続を実現するため、例えば、第２のインターフェース変換部４１３は、点線で示すように、第２のＣＰＲＩ処理部４１３１と第２の変換部４１３２とが１つの基盤、第３の変換部４１３３から第５の変換部４１３８までが１つの基盤と分離（セパレート）可能なように構成される。尚、４１３１〜４１３３までを省略し、４１３１への入力をＣＰＲＩ処理部４１３４に与えることもできる。【００３９】
第１のサービス多重分離部４１３５は、第３のＣＰＲＩ処理部４１３４からのＩ、Ｑ信号であるベースバンド信号と、第４のＣＰＲＩ処理部４１３７からのサービスＡに対応したベースバンド信号とを多重（又は合成）する。【００４０】
図４（Ａ）乃至同図（Ｃ）は、多重処理の例を示す図である。図４（Ａ）はサービスＡのＩ，Ｑ信号が挿入されたＣＰＲＩ信号の例であり、第４の変換部４１３６から出力される信号の例である。また、同図（Ｂ）はサービスＢのＩ，Ｑ信号が挿入されたＣＰＲＩ信号の例であり、第２のＣＰＲＩ処理部４１３１や、第３の変換部４１３３から出力される信号の例である。第１のサービス多重分離部４１３５は、第３及び第４のＣＰＲＩ処理部４１３４，４１３７で抽出されたサービスＡ，ＢのＩ，Ｑ信号を、予め決められた各データブロック領域に挿入する（同図（Ｃ）参照）ことで、多重する。【００４１】
図２に戻り、第５の変換部４１３８は第１のサービス多重分離部４１３５からの多重化されたＣＰＲＩ信号を光信号に変換する。変換された信号は、光ケーブルを介して第２の無線装置４２の第３のインターフェース変換部４２１に出力される。【００４２】
第３のインターフェース変換部４２１の第６の変換部４２１１は、光信号を電気信号であるＣＰＲＩ信号に変換する。第２のサービス多重分離部４２１２は、変換されたＣＰＲＩ信号からＩ，Ｑ信号であるベースバンド信号を抽出する。ＣＰＲＩ信号は、図４（Ｃ）に示すように、多重化されているため、サービスＡに対応したＩ，Ｑ信号と、サービスＢに対応したＩ，Ｑ信号とが抽出され、抽出された各サービスのＩ，Ｑ信号は周波数シフト部４２１３に出力される。【００４３】
周波数シフト部４２１３は、各サービスに対応するＩ，Ｑ信号の夫々を、予め決められた周波数帯域に周波数シフトする。その際、サービスＡ，Ｂ間で周波数帯域が重ならないようにする。周波数シフトされた、デジタル表現された波形信号は、送受信増幅器４２２に出力される。尚、インターフェース変換部２１３に入力される信号は、例えば、拡散処理が施され、ろ波処理等が施されたデジタル表現された波形信号、インターフェース変換部４１３１に入力される信号は、例えば、ＩＦＦＴ処理が施されたデジタル表現された波形信号とすることができる。【００４４】
Ｄ／Ａ変換部４２２１は、周波数シフトされたベースバンド信号をアナログ信号に変換する。変調部４２２２は、アナログ信号に変換されたＩ，Ｑ信号をそれぞれ直交変調して、各サービスに対応する周波数（例えば、２ＧＨｚなど）に変調する。【００４５】
送信増幅部４２２３は、２つのサービスに対応する変調後の信号を増幅してアンテナ５に出力する。送信増幅部４２２３は、２つの無線サービスＡ，Ｂに対応する信号をともに増幅することができる共用アンプである。【００４６】
アンテナ５は、増幅された信号を無線通信により、携帯電話やＰＤＡ（Personal Digital
Assistance）などの情報端末に送信する。これにより、ユーザに各無線サービスを提供できる。【００４７】
このように、本実施例における無線通信システム１００は、共用アンプである送信増幅器４２２３を用いることができるように、第２の無線基地局装置４を構成している。すなわち、第１のサービス多重分離部４１３５で２つの無線サービス（通信方式）に対応する信号が時間多重され、第２のサービス多重分離部４２１２で２つの異なるサービスの信号が夫々抽出され、周波数シフト部４２１３でシフトされた後、共用アンプに入力されるように構成される。従って、本無線通信システム１００は、２つの無線サービスに共に対応できる共用化の状態にしておくことが可能である。また、本無線通信システム１００は、２つの無線サービスに対応する信号を多重して処理を行っているため、少なくとも２つの無線サービスを提供することができる。【００４８】
次に、上り方向（アンテナ５から第１の無線基地局装置２へ信号が伝送される方向）の動作について説明する。【００４９】
アンテナ５で受信した信号は、受信部４２２４で一定のアナログ信号に変換され、ダウンコンバータ４２２５で後段のＡ／Ｄ変換部４２２６に入力できる周波数にダウンコンバートされる。そして、ダウンコンバートされた信号は、Ａ／Ｄ変換部４２２６でデジタル信号に変換されて第３のインターフェース変換部４２１に出力される。【００５０】
ＩＱ抽出部４２１４は、デジタル変換された信号から各サービスに対応するＩ信号とＱ信号とを抽出して出力する。【００５１】
第２のサービス多重分離部４２１２は、これらのベースバンド信号を多重化し、ヘッダ等を付加する等によりＣＰＲＩ信号に変換して出力する。この場合のＣＰＲＩ信号は、例えば、図４（Ｃ）に示すような信号である。第６の変換部４２１１は、ＣＰＲＩ信号を光信号に変換して出力する。【００５２】
第５の変換部４１３８は、第６の変換部４２１１からの光信号を電気信号であるＣＰＲＩ信号に変換し、第１のサービス多重分離部４１３５で各サービスのベースバンド信号に分離する。丁度、図４（Ａ）乃至同図（Ｃ）に示す処理の逆の処理が行われる。無線サービスＡに対応するベースバンド信号は第４のＣＰＲＩ処理部４１３７へ、無線サービスＢに対応するベースバンド信号は第３のＣＰＲＩ処理部４１３４へ出力される。【００５３】
無線サービスＡに対応するベースバンド信号は、第４のＣＰＲＩ処理部４１３７でＣＰＲＩ信号に変換され、第４の変換部４１３６で更に光信号に変換される。そして、ケーブルで接続された第１の変換部２１３２にて電気信号に変換され、第１のＣＰＲＩ処理部２１３１でＣＰＲＩ信号に変換されて、図１に示すベースバンド信号処理部２１２に出力される。ＣＰＲＩ信号は、第１のベースバンド信号処理部２１２にてベースバンド信号が抽出されて、第１の共通制御部２１１を介して第１の上位装置１に出力される。【００５４】
一方、無線サービスＢに対応するベースバンド信号は、第３のＣＰＲＩ処理部４１３４でＣＰＲＩ信号に変換され、更に第３の変換部４１３３で光信号に変換される。その後、第２の変換部４１３２及び第２のＣＰＲＩ処理部４１３１でＣＰＲＩ信号からベースバンド信号が抽出される。抽出されたベースバンド信号は、図１に示す第２のベースバンド処理部４１２においてとくに処理を行うことなくそのまま出力されて、第２の共通制御部４１１を経由して第２の上位装置３に出力される。【００５５】
＜第２の実施例＞
次に第２の実施例について説明する。図５は、第２の実施例における無線通信システム１００の構成例を示す図である。第１の実施例の無線通信システム１００の各構成と同一部分には同一符号を付している。【００５６】
本無線通信システム１００における第２の無線基地局装置４内には第３の無線装置（ＲＥ）４３を備える。第３の無線装置４３は、第１及び第２のインターフェース変換部２１３，４１３とケーブルを介して接続され、第１及び第２の無線制御装置（ＲＥＣ）２１，４１の２つの通信方式を処理することができる。【００５７】
図５に示すように、第１の無線基地局装置２の構成、さらに第２のインターフェース変換部４１３の構成は第１の実施例と同一である。【００５８】
第２の無線基地局装置４における第２のインターフェース変換部４１３は、第２のＣＰＲＩ処理部４１３１と第２の変換部４１３２を備える。【００５９】
第２の無線基地局装置４における第３の無線装置４３は、第４のインターフェース変換部４３１と、送受信増幅部４２２とを備える。また、第４のインターフェース変換部４３１は、第７の変換部４３１１と、第５のＣＰＲＩ処理部４３１２と、第８の変換部４３１３と、第６のＣＰＲＩ処理部４３１４と、周波数シフト部４２１３、及びＩＱ抽出部４２１４を備える。送受信増幅部４２２の構成は第１の実施例と同一のため説明を省略する。【００６０】
このように構成された無線通信システム１００の主要部分の動作は以下のようになる。第１のインターフェース変換部２１３の第１の変換部２１３２は、無線サービスＡに対応する光信号を出力する。また、第２のインターフェース変換部４１３の第２の変換部４１３２は、無線サービスＢに対応する光信号を出力する。【００６１】
第４のインターフェース変換部４３１の第７の変換部４３１１は、無線サービスＡに対応する光信号を電気信号であるＣＰＲＩ信号に変換し、第５のＣＰＲＩ処理部４３１２は変換されたＣＰＲＩ信号からベースバンド信号であるＩ，Ｑ信号を抽出する。【００６２】
第８の変換部４３１３は、無線サービスＢに対応する光信号を電気信号であるＣＰＲＩ信号に変換し、第６のＣＰＲＩ処理部４３１４は変換されたＣＰＲＩ信号からベースバンド信号であるＩ，Ｑ信号を抽出する。【００６３】
周波数シフト部４２１３は、第１の実施例と同様に、２つの通信方式である無線サービスの信号を多重して出力する。２つの無線サービスの信号を所定の周波数帯域に周波数シフトする。その際、周波数帯域が重ならないようにする。その後の処理は第１の実施例と同一であるため説明を省略する。【００６４】
上り方向は、以下のように動作する。すなわち、ＩＱ抽出部４２１４において２つの通信方式に対応する各サービスのベースバンド信号が第５及び第６のＣＰＲＩ処理部４３１２，４３１４に出力され、各々ＣＰＲＩ信号に変換される。そして、第７及び第８の変換部４３１１，４３１３で光信号に変換されて各々第１及び第２の無線制御装置２１，４２に出力される。【００６５】
図５に示すように、第２の実施例における無線通信システム１００は、第１の無線制御装置２１に対応する無線装置を別途設ける必要がなく、かかる無線装置を設置するための場所をわざわざ確保する必要がなくなる。本無線通信システム１００において、それ以外は、第１の実施例と同様に動作するため、第１の実施例で得た作用効果を奏する。【００６６】
＜第３の実施例＞
次に第３の実施例について説明する。本第３の実施例は、２つの通信方式に対応する信号を周波数軸上で合成、分離することで、第１の実施例と同様に２つの通信方式を運用するようにした例である。【００６７】
図６は、第３の実施例における無線通信システム１００の主要部分の構成例を示す図である。第１の実施例の無線通信システム１００と同一部には同一符号を付している。【００６８】
第１の実施例と比較して、第２の無線基地局装置４には、第３の無線制御装置（ＲＥＣ）４４を備え、更に、第３の無線制御装置４４には、第５のインターフェース変換部４４１を備える。【００６９】
第５のインターフェース変換部４４１には、第２乃至第４のＣＰＲＩ処理部４１３１，４１３４，４１３７と、第２乃至第４の変換部４１３６に加え、第１の時間‐周波数変換部４４１１と、合成部４４１２と、第２の時間‐周波数変換部４４１３と、第１の周波数‐時間変換部４４１４と、第７のＣＰＲＩ処理部４４１５と、第９の変換部４４１６と、第３の時間‐周波数変換部４４１７と、分離部４４１８と、第２及び第３の周波数‐時間変換部４４１９，４４２０とを備える。尚、４１３１、４１３２、４１３３を省略可能な点は先と同様である。【００７０】
下り方向の動作は以下のようになる。すなわち、無線サービスＡに対応する信号が第１の無線基地局装置２から第４の変換部４１３６に入力されて、光信号から電気信号であるＣＰＲＩ信号に変換される。そして、第４のＣＰＲＩ処理部４１３７は、変換されたＣＰＲＩ信号からベースバンド信号であるＩ，Ｑ信号を抽出して出力する。第１の時間‐周波数変換部４４１１は、時間軸上のＩ，Ｑ信号をフーリエ変換等により周波数上のＩ，Ｑ信号に変換して出力する。【００７１】
一方、無線サービスＢに対応する信号は、第２のＣＰＲＩ処理部４１３１、第２の変換部４１３２、第３の変換部４１３３、第３のＣＰＲＩ処理部４１３４を介して、第２の時間‐周波数変換部４４１３に出力される。第２の時間‐周波数変換部４４１３は、第１の時間‐周波数変換部４４１１と同様に、時間軸上のＩ，Ｑ信号をフーリエ変換等により周波数軸上のＩ，Ｑ信号に変換する。【００７２】
合成部４４１２は、無線サービスＡ，Ｂに対応した、周波数軸上のＩ，Ｑ信号が入力され、これら２つの周波数軸上の信号を周波数軸上で加算することにより、合成する。【００７３】
第１の周波数‐時間変換部４４１４は、合成部４４１２からの合成後の信号を、逆フーリエ変換等により、再度時間軸上のＩ，Ｑ信号に変換する。変換後の信号は２つの無線サービスに対応する信号が合成された信号であることはいうまでもない。【００７４】
そして、時間軸上に変換されたＩ，Ｑ信号は、第７のＣＰＲＩ処理部４４１５でＣＰＲＩ信号に変換される。図７（Ｃ）は、変換後のＣＰＲＩ信号のフォーマット例を示す図である。同図に示すように、データブロック領域には、周波数軸上で合成された２つの信号が挿入されている。尚、同図（Ａ）は、第４のＣＰＲＩ処理部４１３７から出力されるＣＰＲＩ信号、同図（Ｂ）は第３のＣＰＲＩ処理部４１３４から出力されるＣＰＲＩ信号の、各フォーマット例を示す図である。【００７５】
その後、第９の変換部４４１６によりＣＰＲＩ信号が光信号に変換されて、第２の無線装置４２に出力される。【００７６】
第３のインターフェース変換部４２１の第６の変換部４２１１は、光信号を電気信号であるＣＰＲＩ信号に変換する。第８のＣＰＲＩ処理部４２１８は、変換されたＣＰＲＩ信号から、Ｉ，Ｑ信号であるベースバンド信号を抽出する。ＣＰＲＩ信号は、図７（Ｃ）に示すように、すでに合成されており、サービスＡとＢが合成されたＩ，Ｑ信号が抽出され、抽出されたＩ，Ｑ信号は周波数マッピング部４２１３に出力される。【００７７】
周波数マッピング部４２１３は、抽出されたＩ，Ｑ信号を、予め決められた周波数帯域にマッピングさせる。マッピングされたベースバンド信号は送受信増幅部４２２に出力される。【００７８】
以降の処理は第１の実施例と同一のため説明を省略する。【００７９】
上り方向の動作は以下のようになる。【００８０】
アンテナ５で受信した信号は送受信増幅部４２２で処理されるが、送受信増幅部４２２での処理は実施例１と同一のため説明を省略する。【００８１】
ＩＱ抽出部４２１４は、デジタル変換された信号からＩ信号とＱ信号とを抽出して出力する。抽出されたＩ，Ｑ信号はサービスＡとＢとが合成されている状態である。【００８２】
第８のＣＰＲＩ処理部４２１８は、このベースバンド信号に、ヘッダ等を付加する等により、ＣＰＲＩ信号に変換して出力する。この場合のＣＰＲＩ信号は、例えば、図７（Ｃ）に示すような信号である。第６の変換部４２１１は、ＣＰＲＩ信号を光信号に変換して出力する。【００８３】
第２の無線装置４２からの信号は、第９の変換部４４１６、第７のＣＰＲＩ処理部４４１５を経由して、第３の時間‐周波数変換部４４１７に出力される。【００８４】
第３の時間‐周波数変換部４４１７は、第７のＣＰＲＩ処理部４４１５からのベースバンド信号であるＩ，Ｑ信号をフーリエ変換等により周波数軸上のＩ，Ｑ信号に変換する。【００８５】
分離部４４１８は、周波数軸上のＩ，Ｑ信号に対して、各無線サービスのＩ，Ｑ信号に分離する。例えば、ある周波数帯域は無線サービスＡに対応するＩ，Ｑ信号、別の周波数帯域は無線サービスＢに対応するＩ，Ｑ信号など、予め決められた周波数帯域により分離する。無線サービスＡに対応するＩ，Ｑ信号は第２の周波数‐時間変換部４４１９へ、無線サービスＢに対応するＩ，Ｑ信号は第３の周波数‐時間変換部４４２０へ、それぞれ出力される。【００８６】
第２の周波数‐時間変換部４４１９は、周波数軸上のＩ，Ｑ信号を逆フーリエ変換等により時間軸上のＩ，Ｑ信号に変換して出力する。変換されたＩ，Ｑ信号は、第４のＣＰＲＩ処理部４１３７、第４の変換部４１３６を経由して、第１の無線基地局装置２に出力される。【００８７】
また、第３の周波数‐時間変換部４４２０も周波数軸上のＩ，Ｑ信号を時間軸上のＩ，Ｑ信号に変換して出力し、第５のインターフェース変換部４４１からベースバンド信号処理部４１２（図１参照）に出力される。以降の処理は第１の実施例と同一のため説明を省略する。【００８８】
本第３の実施例においても、２つの通信方式の信号を周波数軸上に展開後、加算することにより合成して処理を行っているため、本無線通信システム１００においても、第１の実施例と同様に２つの無線サービスに対応するような状態にしておくことが可能である。【００８９】
尚、本実施例においても、第２の変換部４１３２と第６の変換部４２１１は光ケーブルにより直接接続可能であり、一方のサービスのみの運用等を行い得る。【００９０】
＜第４の実施例＞
次に第４の実施例について説明する。図８は本第４の実施例における無線通信システム１００の主要部の構成例を示す図である。本第４の実施例は、無線サービスＢに対応する通信方式を処理する第２の無線制御装置４１の第２のインターフェース変換部４１３を経由することなく、無線サービスＡに対応する第１の無線制御装置２１と２つの通信方式を処理可能な第２の無線装置４２とが直接接続された例である。【００９１】
本第４の実施例では、第２の無線制御装置４１を経由しない構成となっているため、古い第２の無線制御装置４１から新しい第２の無線制御装置に移行するとき、一方の無線サービスを提供しながら、スムーズに第２の無線基地局装置４内に導入することができる。【００９２】
第１の変換部２１３２と第６の変換部４２１１とが接続され、第２の無線制御装置４１がなくてもよいこと以外は、第１の実施例１と同一の構成である。処理に関して、第２のサービス多重分離部４２１２はとくに多重処理や分離処理は行わずに、入力されたＣＰＲＩ信号をそのまま周波数シフト部４２１３に出力し、入力されたベースバンド信号であるＩ，Ｑ信号をそのまま第６の変換部４２１１に出力する。以降の処理は、第１の実施例と同一のため、その説明を省略する。【００９３】
＜第５の実施例＞
次に第５の実施例について説明する。図９は、本第５の実施例における無線通信システム１００の主要部の構成例を示す図である。第１の実施例と同一部には同一符号を付している。第１の実施例では、無線サービスＢに対応する第２のインターフェース変換部４１３に多重分離の機能を設けていたが、本例では無線サービスＡに対応する第１のインターフェース変換部２１３に多重分離機能を設けている。【００９４】
図９に示すように、第２の無線基地局装置４の第２の無線制御装置４１に設けられた第２のインターフェース変換部４１３は、第２のＣＰＲＩ処理部４１３１と第２の変換部４１３２を備える。【００９５】
一方、第１の無線基地局装置２の第１の無線制御装置２１に設けられた第１のインターフェース変換部２１３は、第１のＣＰＲＩ処理部２１３１と第１の変換部２１３２に加え、第３及び第４のＣＰＲＩ処理部４１３４，４１３７と、第３及び第４の変換部４１３３，４１３６と、第１のサービス多重分離部４１３５と、第５の変換部４１３８を備える。【００９６】
そして、第４の変換部４１３６と第２の変換部４１３２とを光ケーブルで接続することで、無線サービスＡに対応する信号が第１のインターフェース変換部２１３に出力させることができ、第５の変換部４１３８と第６の変換部４２１１とを接続することで、多重化された２つの信号を第２の無線装置４２から送信することができる。【００９７】
第１の実施例と同様に、無線サービスＡ，Ｂに対応するＣＰＲＩ信号は、第１のサービス多重分離部４１３５で多重化される。例えば、図４（Ｃ）に示すようにＣＰＲＩフォーマットのデータブロックの所定領域にマッピングすることで多重化される。【００９８】
このように本実施例では、２つの無線サービスの多重分離機能は一方のインターフェース変換部のみならず他方のインターフェース変換部でも実行可能となる。尚、本実施例では、多重分離処理が第１のインターフェース変換部２１３で行われること以外は、第１の実施例と同一の処理が行われるため、第１の実施例１と同一の作用効果を奏する。【００９９】
＜他の実施例＞
次に他の実施例について説明する。第１及び第３の実施例において、第１の変換部２１３２と第４の変換部４１３６とは光ケーブルで接続されるとして説明した（図２、図６参照）が、光以外のケーブルで接続されてもよい。また、第５の実施例においても、第４の変換部４１３６と第２の変換部４１３２とは光ケーブル以外のケーブルで接続されてもよい。【０１００】
また、第５の実施例において、無線サービスＡに対応する第１の無線基地局装置２の第１のインターフェース変換部２１３の第１のサービス多重分離部４１３５において、時間軸方向への信号の多重処理と分離処理がおこなわれていた。かかる第１のインターフェース変換部２１３において、第１のサービス多重分離部４１３５に代えて、第３の実施例で説明した周波数軸上への合成処理を行うようにしてもよい。
【図１】
2008146330.tif 000003
【図２】
2008146330.tif 000004
【図３】
2008146330.tif 000005
【図４】
2008146330.tif 000006
【図５】
2008146330.tif 000007
【図６】
2008146330.tif 000008
【図７】
2008146330.tif 000009
【図８】
2008146330.tif 000010
【図９】
2008146330.tif 000011
【図１０】
2008146330.tif 000012
【国際調査報告】
2008146330.tif 000013
2008146330.tif 000014
2008146330.tif 000015
2008146330.tif 000016